(57)【要約】息を爽やかにする装置は、歯ブラシと噴霧器を有する。歯ブラシは、毛と洗口液を入れる容器とを有する。噴霧器は、容器及び毛に接続され、噴霧器の作動は、毛に吹付けられる洗口液のミストを発生する。
2006507081.tif 000002
【特許請求の範囲】
【請求項１】
毛と洗口液を入れる容器とを有する歯ブラシと、
該容器と該毛とを接続する噴霧器であって、該噴霧器の作動は、該毛に吹付ける該洗口液のミストを発生する噴霧器と、
を具備する息を爽やかにする装置。
【請求項２】
該噴霧器が、該容器に入れられた第一端部を有する導入管と、該導入管の第二端部に接続する噴霧ポンプと、該噴霧ポンプと該毛との間に配置される、放出管とを有する、請求項１に記載の装置。
【請求項３】
該噴霧ポンプが、計量チャンバ、ノズル、及び該計量チャンバと該ノズルとの間に広がる加圧通路を形成する面を有し、該計量チャンバは該導入管から該洗口液を受け、該加圧通路は該計量チャンバから該洗口液を受けて、該噴霧器の作動に応じて該ノズルに該洗口液の浮遊微小粒子を注入する、請求項2に記載の装置。
【請求項４】
該歯ブラシと該噴霧ポンプが、一つ又はそれ以上の呼び水通路を形成する面を有し、該呼び水通路は、該噴霧ポンプの作動中に、該容器に外気を導入出来るようになっている、請求項2に記載の装置。
【請求項５】
該容器が、弾力性のある側壁を有し、該側壁の横方向の操作は、該噴霧器の作動をもたらす、請求項1に記載の装置。
【請求項６】
該歯ブラシが、該毛に接続する第一ハウジングと、該容器を内蔵する第二ハウジングであって、該第一と該第二ハウジングの相対的な縦方向の操作は、該噴霧器の作動をもたらす第二ハウジングと、を含む請求項1に記載の装置。
【請求項７】
該ハウジングが、該噴霧器の作動を選択的に抑制するための閉じ込めをする面を有する、請求項6に記載の装置。
【請求項８】
中心側端部及び外側端部を有するキャップをさらに含む、請求項1に記載の装置。
【請求項９】
該キャップが、該キャップ内に配置されるクリーニングリッジであって、もしも該キャップが該毛を覆って該歯ブラシに付けられているならば、該毛から余剰ミストを取り除くクリーニングリッジと、該外側端部であって、該余剰ミストを蒸発出来るようにするための蒸発の開口部を形成する面を有する該外側端部と、をさらに含む請求項8に記載の装置。
【請求項１０】
該キャップの外表面が、筋を付けた部分と滑らかな部分を有し、該滑らかな部分は、印刷されたメッセージの表示が可能である、請求項8に記載の装置。
【請求項１１】
キャップと、歯ブラシと、導入管と、噴霧ポンプと、送出管と、
を具備する、息を爽やかにする装置であって、
該キャップは、中心側端部、外側端部、及びキャップ内に配置するクリーニングリッジを有していて、
該歯ブラシは、毛と洗口液を入れる容器とを有していて、
該導入管は、該容器に入れられた第一端部を有していて、
該噴霧ポンプは、該導入管の第二端部に接続され、計量チャンバ、ノズル、及び該計量チャンバと該ノズルとの間に広がる加圧通路を形成する面を有し、該計量チャンバは、該導入管から該洗口液を受け、該加圧通路は、該計量チャンバから該洗口液を受けて、該噴霧ポンプの作動に応じて該ノズルに該洗口液の浮遊微小粒子を注入して、
該送出管は、該噴霧ポンプと該毛との間に配置され、該毛に該洗口液の該浮遊微小粒子を吹付け、該歯ブラシと該噴霧ポンプは、一つ又はそれ以上の呼び水通路を形成する面を有し、該呼び水通路は、該噴霧ポンプの作動中に、該容器に外気を導入出来るようになっており、該クリーニングリッジは、もしも該キャップが該毛を覆って該歯ブラシに付けられているならば、該毛から余剰ミストを取り除く、
息を爽やかにする装置。
【請求項１２】
該容器が、弾力性のある側壁を有し、該側壁の横方向の操作は、該噴霧ポンプの作動をもたらす、請求項11に記載の装置。
【請求項１３】
該歯ブラシが、該毛に接続する第一ハウジングと、該容器を内蔵する第二ハウジングであって、該第一と該第二ハウジングの相対的な縦方向の操作は、作動をもたらす第二ハウジングと、を含む請求項11に記載の装置。
【請求項１４】
該ハウジングが、作動を選択的に抑制するための閉じ込めをする面を有する、請求項13に記載の装置。
【請求項１５】
該キャップの該外側端部が、該余剰ミストを蒸発出来るようにするための蒸発の開口部を形成する面を有する、請求項13に記載の装置。
【発明の詳細な説明】
【技術分野】
【０００１】
本発明の実施形態は息を爽やかにする製品に関する。より具体的には、実施形態は息を爽やかにすることを容易するために、歯ブラシの毛に洗口液のミストを吹付ける装置に関する。
【背景技術】
【０００２】
爽やかな息が望まれることは、現代社会ではよく理解される。実際、息を爽やかにする製品が、随分以前から存在している。これら多くの製品は、ある環境下では効果的であることが証明されているが、多くの難しさを残している。
【０００３】
この難しさの一つは、可搬性に関するものである。例えば、携帯電話、無線ネットワークの構築、及び拘束されないコンピュータ使用への傾向は、活動の最大の自由度を提供する息を爽やかにする技術に対する必要性を象徴している。不幸にも、洗口液及び歯ブラシのような従来の製品は、息を爽やかにする製品の液体残余物を（例えば流しに）吐出すことを、明らかにユーザに要求する。実際、ほとんどの歯ブラシは、使用の前後に歯磨き粉と毛とを湿らすための流水を必要とする。Owensによる特許文献１で述べられているシステムのような、より複雑な歯磨きシステムでは、歯ブラシの毛を湿らせるための内部ポンプ機構を持っているが、ユーザはまだ、磨き粉、洗口液、及び制菌性すすぎ液を口から捨てる場所を必要とする。その結果このシステムは、明らかに洗面所で使用のために設計されている。もしも、流しや他の適当な容器が使用できなければ、ユーザは害を及ぼす残余物を飲み込むことを強いられる。
【０００４】
ミントのようなほかの製品は、望ましくないカロリー摂取及び/又はその他の食事療法の障害となる、溶けたミントの一部あるいは全部を飲み込むことをユーザに要求する。チューインガムでさえ、公共の場で噛むことへの、一般的な社会的非難による実質的な制約がある。ミント及びガムもまた、即時の効用が望まれるが、効力を得るために一定量の時間が掛かる。加えて、従来のミント及びガムは、臭気の原因であるバクテリアを除去する代わりに、単に悪い息を覆い隠すだけである。結果として、これらの製品は、短い期間にのみ、概ね効果がある。
【０００５】
【特許文献１】米国特許第６３３１０８８号明細書
【特許文献２】米国特許第４４３４９１６号明細書
【特許文献３】米国特許第５３４８１９４号明細書
【発明の開示】
【発明が解決しようとする課題】
【０００６】
本発明の目的は、即時に有効でかつ長期に持続し、流水や吐き出すことを要求されず、そして噛むあるいは飲み込む必要の無い、息を爽やかにする製品を提供することにある。
【発明を実施するための最良の形態】
【０００７】
当業者においては、明細書と特許請求の範囲を読むこと、並びに図面を参照することによって、本発明の実施形態の様々な利点が明らかになる。
【０００８】
図1-3は、携帯用で小型、かつすすぎ洗いや吐き出すことや消化することを必要としない、息を爽やかにする装置１０を示す。一般的に装置１０は、毛１４を有する歯ブラシ１２と洗口液１８を入れる容器１６とを備えている。洗口液１８は、市販の洗口液である。装置１０はまた、容器１６と毛１４とに接続される噴霧器２０を有する。噴霧器２０の作動は、毛１４に吹付ける洗口液１８のミストを発生する。毛１４に液状の洗口液１８を単にポンプで送るのとは対照的に、毛１４に洗口液１８のミストを吹付けることによって、装置１０は、余剰液の吐き捨てあるいは飲み込みの必要性をなくす。結果として、装置１０は、ガム及びミントの従来製品の短所がなく、これらの利便性に対抗する、息を爽やかにするための全く新規な方法を提供する。
【０００９】
図示された噴霧器２０は、容器１６に入った第一端部２４を有する導入管２２を備える。噴霧ポンプ２６は、導入管２２の第二端部２８に接続される。送出管３０は、噴霧ポンプ２６と毛１４との間に配置される。代わりに、毛１４と噴霧ポンプ２６との間に広がる通路の内部壁面を単に使って、送出管３０を省いても良い。
【００１０】
図4Aと4Bにおいて、噴霧ポンプ２６の一つの方法を、詳細に示す。ポンプ２６は、Ruscitti, et al. による特許文献２で述べられたポンプに類似した構造である。一般的に、図4Aは停止時（例えば、作動直前）の噴霧ポンプ２６を示し、図4Bは最大のストローク時（例えば、作動直後）の噴霧ポンプ２６を示す。図示した噴霧ポンプ２６は、計量チャンバ３２、ノズル３４及び加圧通路３６を形成する面を有する。計量チャンバ３２は、導入管２２（図3）から洗口液を受ける。作動中に（図4B）、加圧通路３６は、計量チャンバ３２とノズル３４との間に広がり、これに反して非作動中に（図4A）、加圧通路３６は、シール３８によって閉じられることが分かる。作動中に、加圧通路３６は、計量チャンバ３２から洗口液１８を受け、ノズル３４に洗口液１８の浮遊微小粒子４０を注入する。ポンプ２６はまた、ポンプ２６の作動中に容器１６（図3）に外気を導入出来るようにする、呼び水通路４２を形成する面を有する。
【００１１】
図示された噴霧ポンプ２６は、計量及び呼び水の機能性を有する比較的高度な構造であるが、本発明はそれだけに限定されない。実際、液体を空中浮遊させるのに十分小さな粒子にする能力のある噴霧器であれば、どれでも使うことが出来る。その他の方法例は、Mascitelle, et al. による特許文献３に示されていて、参考としてここに包含するものである。
【００１２】
図６は、ミストの状態で吹付けられた洗口液の微粒子４０が付いた毛１４の拡大図を示す。単語“ミスト”は、空中浮遊するのに十分小さい液体の微粒子として、ここでは使われる。
【００１３】
図1-3において、図示した歯ブラシ１２は、第一ハウジング４４と、容器１６を内蔵する第二ハウジング４６とを有する。噴霧器２０のノズル３４（図4Aと4B）は、第一ハウジング４４の内部に作成した開口部に取付けられるから、ハウジング４４、４６の相対的な縦方向の操作は、噴霧器２０の作動をもたらす。ハウジング４４、４６はまた、噴霧器２０の作動を選択的に抑制するための閉じ込めをする面４８を有する。特に、第二ハウジング４６の外部表面の突起は、“捩じって止める（twist-and-lock）”機能性を持たせるために、第一ハウジング４４の内部表面の窪みと整合する。呼び水通路４２が、噴霧ポンプの作動中に、さらに容器に外気を導入出来るようにするために、第一ハウジング４４に形成されることもまた考えられる。
【００１４】
図示された装置１０はまた、通常中心側端部５２と外側端部５４とを有するキャップ５０を備えている。一つの実施形態は、クリーニングリッジ５６を有するキャップ５０を提供する。もしもキャップが該毛を覆って該歯ブラシに付けられているならば、クリーニングリッジ５６は、毛１４から余剰ミストを取り除く。外側端部５４はまた、余剰ミストを蒸発出来るようにするための蒸発の開口部５８を形成する面を有する。キャップ５０の外表面もまた、筋を付けた部分６０と、ロゴのような印刷されたメッセージの表示が可能な滑らかな部分６２を有する。筋を付けた部分６０は、装置１０を握ることを容易にし、一方滑らかな部分６２は、広告のための可能性を増している。
【００１５】
図５は、いくらか簡素化した構造を持つ、代わりの息を爽やかにする装置１０´を示す。具体的に、歯ブラシ１２´は、弾力性のある側壁６４を有するように変更した容器を備える。横方向に側壁６４を操作する（例えば、“強く握る”）ことは、噴霧器の作動をもたらす。修正した装置１０´は、より洩れやすくなるから、開口部を気密密閉のために取り除く修正をしたキャップ５０´が備えられる。
【００１６】
その結果、歯ブラシの中に組込まれた噴霧器を作動することによって、ユーザは歯ブラシの毛１４に洗口液のミストを吹き付け、ミストが口の内部に移動するように、すばやく歯を磨くことが出来きる。結果は、“爽快”な気分となり、ガム及び／又はミントの使用を介して達成される結果と同様に、臭気を減少する。事実、洗口液の使用は、臭気の原因のバクテリアを排除し、より長時間効果が持続する結果となる。ここに述べた実施形態は、ユーザがガムを噛んだり、又はミントが溶けた残余物を飲んだりする必要が無い。さらに、ガムやミントの場合のように、長期使用の必要が無くて、即座に結果が得られる。
【００１７】
当業者は、上記の説明から、本発明の実施形態の広範囲な技術が、様々な形態で実施しうることを理解できるであろう。従って、本発明の実施形態が特定の例と関連して述べられたが、当業者においては、図面、明細書及び請求項を理解することにより、他の修正が明瞭になることから、本発明の実施形態の範囲は、限定されるべきものではない。
【図面の簡単な説明】
【００１８】
【図１】図 １は、本発明の一つの実施形態に従う、息を爽やかにする装置の例の側面図である。
【図２】図2は、本発明の一つの実施形態に従う、毛を覆って歯ブラシにかぶせるキャップを有する、図１で示した息を爽やかにする装置の例の側面図である。
【図３】図3は、本発明の一つの実施形態に従う、図１で示した息を爽やかにする装置の例の断面図である。
【図４Ａ】図4Aは、本発明の一つの実施形態に従う、噴霧ポンプの例の拡大図である。
【図４Ｂ】図4Bは、本発明の一つの実施形態に従う、噴霧ポンプの例の拡大図である。
【図５】図５は、本発明の別の実施形態に従う、息を爽やかにする装置の例の側面図である。
【図６】図６は、本発明の一つの実施形態に従う、吹付ける洗口液のミストを有する一組の毛の例の拡大図である。
【図１】
2006507081.tif 000003
【図２】
2006507081.tif 000004
【図３】
2006507081.tif 000005
2006507081.tif 000006
2006507081.tif 000007
【図５】
2006507081.tif 000008
【図６】
2006507081.tif 000009
【国際調査報告】
2006507081.tif 000010
2006507081.tif 000011